(57)【特許請求の範囲】
【請求項１】
膝サポーター本体と締付ベルトとで構成された膝サポーターにおいて、膝サポーター本体（１、３１）の後側の膝窩部に相当する部分に開口（２、３６）を有し、この開口（２、３６）に膝サポーター本体（１、３１）を構成する素材より薄い当て布（３、３７）を取り付け、開口（２、３６）を通して露出する膝窩部の表面を当て布（３、３７）により保護し得るようにしたことを特徴とする膝サポーター。
【請求項２】
膝サポーター本体（１）の膝窩部に対向する位置にある開口（２）の裏側に、膝サポーター本体（１）を構成する素材より薄く開口（２）の大きさより若干大きい当て布（３）を仮止め（４）し、開口（２）と同形状、同寸法で変形し難い素材よりなるスペーサー（５）を開口（２）の表側に嵌め込み、開口（２）の周辺部を当て布（３）と結合することを特徴とする膝サポーターの製作方法。
【発明の詳細な説明】
【０００１】
【発明の属する技術分野】
本発明は、膝関節疾患の治療、予防に使用する膝サポーター及びその製作方法に関する。
【０００２】
【従来の技術】
膝疾患の治療、予防のための膝サポーターには種々のものがあるが、その一つとして弾力性と伸縮性のある素材からなる本体を大腿部から膝、下腿部にかけて巻き付け、本体に締付ベルトを取り付け、この締付ベルトを本体上の所定位置に締付けて適切な支持力を得るようにしたものがある。この膝サポーターを装着した状態で脚を曲げやすくするため、本体の後側の膝窩部に相当する部分に開口を設けることが行われるが、締付ベルトの締付位置によっては締付ベルトが開口より露出している皮膚に当たったり、擦れ、極めて不快感を与えることがある。
【０００３】
【発明が解決しようとする課題】
本発明の課題は、膝サポーター本体に設けた開口より露出する皮膚に締付ベルトが接触して不快感を感じることのないような膝サポーター及びその製作方法を提供することにある。
【０００４】
【課題を解決するための手段】
上述の課題を解決するため、本発明によれば、膝サポーター本体と締付ベルトとで構成された膝サポーターにおいて、膝サポーター本体の後側の膝窩部に相当する部分に開口を有し、この開口に膝サポーター本体を構成する素材より薄い当て布を取り付け、開口を通して露出する膝窩部の表面を当て布により保護し得るようにする。
【０００５】
本発明の製作方法によれば、膝サポーター本体の膝窩部に対向する位置にある開口の裏側に、膝サポーター本体を構成する素材より薄く開口の大きさより若干大きい当て布を仮止めし、開口と同形状、同寸法で変形し難い素材よりなるスペーサーを開口の表側に嵌め込み、開口の周辺部を当て布と結合する。
【０００６】
【発明の実施の形態】
次に本発明を図面に示す実施例について説明する。
【０００７】
図１は本発明の実施例の要部を示すもので、ａは正面図、ｂは断面図である。１は膝サポーター本体で、その装着時膝窩部に対応する部分にほぼ円形の開口２が明けられている。開口２の裏側、即ち本体１の肌に接する側に当て布３が開口２の周辺で例えば縫製にて固定されている。当て布３は皮膚と接触し、また締付ベルトがその表面と接触する部分であるから、通気性、吸湿性、平滑性がよく、皮膚刺激が少なく、厚さの薄いものが適している。例えばナイロン１００％のジャージ、トリコット、スムース生地が特に適している。その外素材としてポリエステル布地などもよい。厚さは１ｍｍ以下、例えば０．６ｍｍのものがよい。
【０００８】
図２は本発明の当て布を開口部に取り付ける方法の製作工程を示す。まずａに示すように、本体１の開口２の裏側に開口２の大きさより若干大きい当て布３を例えば四隅で仮止め４する。次にｂに示すように開口２と同形状、同寸法のスペーサー５を用意し、このスペーサー５を開口２の表側に嵌め込む。ｃはこの状態を示す。次にｄに示すように開口２の周辺部で例えば縫製６により当て布３と本体１とを結合した後スペーサー５を除去する。当て布３の開口２の周辺よりはみ出した余分の部分は除去することができる。スペーサーは弾力性のある本体と薄い変形しやすい当て布が縫製中変形するのを阻止する機能を持つものであり、熱や機械的応力が加わっても変形せず、形状を保持し得る材料であれば種類を問わない。例えばプラスチックを使用することができる。厚みは本体の厚みにもよるが、本体の厚みと同一のものが好ましい。縫製は開口の周辺部をパターンとして記憶させたコンピュータミシンを使用すると有利である。このようにスペーサーを使用することにより、柔らかい当て布を全く皺を生じさせることなく開口周辺部に固着させることができる。
【０００９】
図３は本発明を前十字靭帯損傷向け膝サポーターに適用した一例で、ａ、ｂは展開状態にして見たそれぞれ正面図、背面図、ｃは装着状態における背面図である。
【００１０】
３１は弾力性の布地からなるほぼ四角形状の本体で、その左右側辺３２、３３のほぼ中央にはＵ字形の凹所３４、３５を備え、また本体３１のほぼ中心部には開口３６を備え、本体３１の凹所３４、３５、開口３６より上にある部分は装着者の大腿部部分を覆い、下にある部分は下腿部部分を覆い、凹所３４、３５、開口３６のある部分は両凹所３４，３５が膝蓋骨部、開口３６が膝窩部上に位置して膝関節部部分を覆うようになっている。開口３６には図１に示すような当て布３７が裏側より固定されている。本体３１の一方の側辺、例えば右側辺３３は大腿部部分、下腿部部分にそれぞれ切り込み３８、３９が設けられ２分割され、その内側には面ファスナー３１０が設けられている。本体３１の表側で開口３６の左右にはステー３１１、３１２を内側に収納したステーカバー３１３、３１４が取り付けられ、ステー３１１、３１２はヒンジ式ステーとして形成され、両ステーカバー３１３、３１４は大腿部部分と下腿部部分とに分割され、ステー３１１、３１２のステーカバーより露出しているヒンジ部には保護カバー３１５、３１６が挿入されている。
【００１１】
本体３１の下腿部部分にあるいずれか一方のステーカバー、例えば右側のステーカバー３１４の下方には非伸縮性の下腿部部分前部ベルト３１７の一端３１８が取り付けられ、ベルト３１７は装着時脛骨粗面上を通るように横方向に延び、他端３１９は面フアスナー３２０を有し、下腿部部分の他方のステーカバー、即ち左側のステーカバー３１３の下方、対向位置に取り付けたリング３２１に挿入して折り返し、自身のベルト上に面フアスナー３２０でもって結合できるようになっている。
【００１２】
本体３１の下腿部部分のいずれか一方のステーカバー、例えば右側のステーカバー３１４の任意位置に非伸縮性の下腿部部分後部ベルト３２２の一端３２３が取り付けられ、ベルト３２２は装着時下腿部部分の後側を通るように横方向に延び、他端３２４は面フアスナー３２５を有し、下腿部部分の他方のステーカバー３１３の対向位置に取り付けたリング３２６に挿入して折り返し、自身のベルト上に面フアスナー３２５でもって結合できるようになっている。なお図ではベルト３２２の他端３２４をリング３２６に挿入しないで折り返した状態で示されている。
【００１３】
本体３１の大腿部部分の何れか一方のステーカバー、例えば右側のステーカバー３１４の任意位置に非伸縮性の大腿部部分後部ベルト３２７の一端３２８が取り付けられ、ベルト３２７は装着時大腿部部分の後側を通るように横方向に延び、他端３２９は面フアスナー３３０を有し、大腿部部分の他方のステーカバー、即ち左側のステーカバー３１３の対向位置に取り付けたリング３３１に挿入して折り返し、自身のベルト上に面フアスナー３３０でもって結合できるようになっている。なお図ではベルト３２７の他端３２９をリング３３１に挿入しないで折り返した状態で示されている。
【００１４】
さらに本体３１の下腿部部分の左右ステーカバー３１３、３１４の下方位置に伸縮性の補助ベルト３３２、３３３の一端３３４、３３５がそれぞれ取り付けられ、両ベルト３３２、３３３は装着時脛骨粗面上で互いに交差するように斜めに上方に延び、装着時他端３３６、３３７が本体３１の大腿部部分まで達するような長さを有し、他端３３６、３３７には面フアスナー３３８、３３９が設けられている。
【００１５】
装着は次のように行われる。本体３１の裏側を脚の後側から当て、開口３６が膝窩上に位置し、ステー３１３、３１４がそれぞれ大腿部より下腿部の左右側に沿って位置するようにし、左右側辺３２、３３を脚の前側に回し、左側辺３２を下にしてその上に右側辺３３を重ね、両ファスナー３１０を本体３１上に締結させる。このようにして本体３１の左右側辺３２、３３を前で重ね合わせることにより側辺３２、３３の凹所３４、３５は膝蓋部を囲むように一つの開口を形成する。次いで下腿部部分前部ベルト３１７を膝蓋骨下部に合わせて脛骨粗面上を通るように延ばし、その自由端３１９をリング３２１に挿入して折り返し、ベルト３１７自身の上に面ファスナー３２０でもって固定する。次に下腿部部分後部ベルト３２２を後方に回し、自由端３２４をリング３２６に挿入して折り返し、ベルト３２２自身上に面ファスナー３２５でもって固定する。次に両補助ベルト３３２、３３３を前側に回し、下腿部部分前部ベルト３１７上で交差するように斜め上方に引き伸ばし、ステー３１１、３１２のヒンジ部下を通るようにして大腿部部分の後方へ回し本体３１上へ面ファスナー３３８、３３９でもって固定する。最後に大腿部部分後部ベルト３２７を後方へ回し、自由端３２９をリング３３１に挿入して折り返し、ベルト３２７自身の上に面ファスナー３３９でもって固定する。
【００１６】
この膝サポーターにおいては、両補助ベルト３３２、３３３が開口３６上に位置するが、開口３６に設けられた当て布３７により膝窩部の皮膚は保護される。
【００１７】
上述のサポーターは単に一例であって、本発明の当て布は各種の膝サポーターに適用することが出来る。
【００１８】
【発明の効果】
本発明によれば、膝サポーター本体に開口が設けられていても、露出している皮膚は当て布によって保護され、またその製作に当たってスペーサーを使用することによって当て布に皺を生じることなく製作が可能となるものである。
【図面の簡単な説明】
【図１】  本発明の実施例の要部の、ａは正面図、ｂは断面図である。
【図２】  本発明の当て布を本体に固定する方法の工程図である。
【図３】  本発明を膝サポーターの一つに適用した例の、ａは展開正面図、ｂは展開背面図、ｃは装着状態の背面図である。
【符号の説明】
１、３１  膝サポーター本体
２、３６  開口
３、３７  当て布
４  仮止め
５  スペーサー
【図１】
0003753159.tif 000002
【図２】
0003753159.tif 000003
【図３】
0003753159.tif 000004